(57)【要約】【課題】  移動式医療装置をネットワークに接続できない状況にあっても、ネットワークに接続された通信先との情報伝達を可能とする技術を提供する。【解決手段】  移動手段を有し、被検体を撮影又は治療するための移動式医療装置であって、ネットワークに接続されたコンピュータに通信先との所定の通信手順を自動実行させるプログラム制御用プログラムデータを格納するプログラム格納手段と、可搬記憶媒体にデータを書き込む書込み手段と、ネットワークとの接続状態を検出するネットワーク検出手段と、ネットワーク切断状態が検出されている場合に、前記プログラムデータを前記可搬記憶媒体に書き込む制御を行う制御手段とを備え、前記記憶媒体に書き込まれた前記プログラムデータが前記コンピュータにより読み出されると、前記コンピュータと前記通信先とが所定の通信手順で通信を行う。【選択図】      図３
2006230636.tif 000002
【特許請求の範囲】
【請求項１】
移動手段を有し、被検体を撮影又は治療するための移動式医療装置であって、
ネットワークに接続されたコンピュータに通信先との所定の通信手順を自動実行させるプログラム制御用プログラムデータを格納するプログラム格納手段と、
可搬記憶媒体にデータを書き込む書込み手段と、
ネットワークとの接続状態を検出するネットワーク検出手段と、
ネットワーク切断状態が検出されている場合に、前記プログラムデータを前記可搬記憶媒体に書き込む制御を行う制御手段と、
を備え、
前記記憶媒体に書き込まれた前記プログラムデータが前記コンピュータにより読み出されると、前記コンピュータと前記通信先とが所定の通信手順で通信を行うこと、
を特徴とする移動式医療装置。
【請求項２】
前記通信先を特定する通信設定値を格納する通信設定値格納手段を更に備え、
前記制御手段は、前記プログラムデータとともに前記通信設定値を前記可搬記憶媒体に書き込む制御を行うこと、
を特徴とする請求項１記載の移動式医療装置。
【請求項３】
前記所定の通信手順は、医用情報を前記通信先に送信する手順を含み、
前記医用情報を格納する医用情報格納手段を更に備え、
前記制御手段は、前記プログラムデータとともに前記医用情報を前記可搬記憶媒体に書き込む制御を行うこと、
を特徴とする請求項１記載の移動式医療装置。
【請求項４】
前記所定の通信手順は、通信先から検査オーダー情報を取得する手順と、取得した検査オーダー情報を前記可搬記憶媒体に書き込む手順を含み、
前記可搬記憶媒体から前記検査オーダー情報を読み込む読み込み手段を更に備えること、
を特徴とする請求項１記載の移動式医療装置。
【請求項５】
前記プログラム格納手段には、通信目的に応じて前記通信手順の異なる複数のプログラムデータが格納され、
前記制御手段は、要求された通信目的に基づき、該当するプログラムデータを前記可搬記憶媒体に書き込む制御を行うこと、
を特徴とする請求項１記載の移動式医療装置。
【請求項６】
前記プログラム格納手段には、複数のプログラムデータが格納され、
前記複数のプログラムデータは、前記所定の通信手順に医用画像を送信する手順を含む医用画像送信プログラムデータ、若しくは前記所定の通信手順に検査状況情報を伝達する手順を含む検査状況伝達プログラムデータ、又は前記所定の通信手順に通信先から検査オーダー情報を取得する手順を含む検査状況情報プログラムデータが含まれること、
を特徴とする請求項５記載の移動式医療装置。
【発明の詳細な説明】
【技術分野】
【０００１】
本発明は、移動手段を有する移動式医療装置において、ネットワークから切断された状態であってもネットワークとの通信を可能にする技術に関する。
【背景技術】
【０００２】
近年、近年病院内のシステム化が進み、院内で様々なシステムが稼働する様になってきた。例えば、医用画像を格納する医用画像保存装置（ＰＡＣＳ）や放射線情報システム（ＲＩＳ）がネットワークに接続され、ネットワーク上のコンピュータ端末を用いて、これら医用画像保存装置や放射線情報システムと通信を行い、医用画像、検査状況情報、検査オーダー情報を送受信している。
【０００３】
このネットワークには、例えば通信機能及びコンピュータ機能を備えた超音波診断装置やＸ線装置等の医療装置も参加し、通信機能及びコンピュータ機能を用いて、取得した医用画像や、医療装置の検査状況情報、医療装置に対する検査オーダー情報を直接医用画像保存装置や放射線情報システムと通信できるようになっている。
【０００４】
ところで、医療装置によっては、台車等の移動手段を備え、被検体を収容する病室まで搬送されて、その場で稼働される移動式医療装置もある。この場合、いかにしてネットワークから医用画像、検査状況情報、検査オーダー情報を通信するかが課題となる。
【０００５】
従来は、移動式医療装置によっては、ネットワークを介して情報をやりとりできないため、口頭での情報伝達が行われていた。この場合、伝達ミスや伝達遅延等の問題が生ずる。この課題を解決する技術としては、移動式医療装置に通信機能及びコンピュータ機能を備えるようにして、予め通信先の通信設定値や移動式医療装置のＡＥタイトル等の通信に必要な情報を保持させることで、近傍のネットワークとの接続子からネットワーク上の医用画像保存装置や放射線システムとの通信を可能にするものがある（例えば、特許文献１参照。）。
【０００６】
【特許文献１】特開２００３−３３４１８５号公報
【発明の開示】
【発明が解決しようとする課題】
【０００７】
しかし、特許文献１においては、病院内のネットワークがすみずみまで張り巡らされ、病室にネットワークの接続子が存在することが前提となる。病院内のネットワークが病室に行き渡っていない病院では、たとえ移動式医療装置にネットワークに接続された通信先との通信を行う機能が備えられていても、医用画像や検査状況情報や検査オーダー情報を通信することができない。
【０００８】
結局、移動式医療装置に関する情報の伝達は、口頭によるか、又は移動式医療装置を回診経路から離脱させてネットワークと接続可能な場所まで移動させねばならない。従って、伝達ミスや伝達遅延、さらには通信のために複数の病室を回診して回る際の回診経路からの離脱によるスケジュール消化遅延を解決できるものではなかった。
【０００９】
本発明は、上記事情に鑑みてなされたものであり、その目的とするところは、移動式医療装置をネットワークに接続できない状況にあっても、ネットワークに接続された通信先との情報伝達を可能とする技術を提供することにある。
【課題を解決するための手段】
【００１０】
上記課題を解決するために、請求項１記載の発明は、移動手段を有し、被検体を撮影又は治療するための移動式医療装置であって、ネットワークに接続されたコンピュータに通信先との所定の通信手順を自動実行させるプログラム制御用プログラムデータを格納するプログラム格納手段と、可搬記憶媒体にデータを書き込む書込み手段と、ネットワークとの接続状態を検出するネットワーク検出手段と、ネットワーク切断状態が検出されている場合に、前記プログラムデータを前記可搬記憶媒体に書き込む制御を行う制御手段と、備え、前記記憶媒体に書き込まれた前記プログラムデータが前記コンピュータにより読み出されると、前記コンピュータと前記通信先とが所定の通信手順で通信を行うこと、を特徴とする。
【００１１】
また、前記通信先を特定する通信設定値を格納する通信設定値格納手段を更に備え、前記制御手段は、前記プログラムデータとともに前記通信設定値を前記可搬記憶媒体に書き込む制御を行うようにしてもよい（請求項２記載の発明に相当）。
【００１２】
前記所定の通信手順は、医用情報を前記通信先に送信する手順を含み、前記医用情報を格納する医用情報格納手段を更に備え、前記制御手段は、前記プログラムデータとともに前記医用情報を前記可搬記憶媒体に書き込む制御を行うようにしてもよい（請求項３記載の発明に相当）。
【００１３】
また、前記所定の通信手順は、通信先から検査オーダー情報を取得する手順と、取得した検査オーダー情報を前記可搬記憶媒体に書き込む手順を含み、前記可搬記憶媒体から前記検査オーダー情報を読み込む読み込み手段を更に備えるようにしてもよい（請求項４記載の発明に相当）。
【００１４】
前記プログラム格納手段には、通信目的に応じて前記通信手順の異なる複数のプログラムデータが格納され、前記制御手段は、要求された通信目的に基づき、該当するプログラムデータを前記可搬記憶媒体に書き込む制御を行うようにしてもよい（請求項５記載の発明に相当）。
【００１５】
前記プログラム格納手段には、複数のプログラムデータが格納され、前記複数のプログラムデータは、前記所定の通信手順に医用画像を送信する手順を含む医用画像送信プログラムデータ、若しくは前記所定の通信手順に検査状況情報を伝達する手順を含む検査状況伝達プログラムデータ、又は前記所定の通信手順に通信先から検査オーダー情報を取得する手順を含む検査状況情報プログラムデータが含まれるようにしてもよい（請求項６記載の発明に相当）。
【発明の効果】
【００１６】
本発明の移動手段を有し、被検体を撮影又は治療するための移動式医療装置にあっては、ネットワークに接続されたコンピュータに通信先との所定の通信手順を自動実行させるプログラム制御用プログラムデータを格納するプログラム格納手段と、可搬記憶媒体にデータを書き込む書込み手段と、ネットワークとの接続状態を検出するネットワーク検出手段と、ネットワーク切断状態が検出されている場合に、前記プログラムデータを前記可搬記憶媒体に書き込む制御を行う制御手段とを備えるようにした。
【００１７】
これにより、移動式医療装置がネットワークから切断されている場合、可搬記憶媒体に所定の通信手順を実行させるプログラム制御用のプログラムデータを記憶した可搬記憶媒体が作成される。この作成された可搬記憶媒体をネットワークに接続されたコンピュータに読み取らせることで、通信先との通信が可能となる。すなわち、移動式医療装置は、作成した可搬記憶媒体とネットワークに接続されたコンピュータを介して、通信先と通信することができる。
【００１８】
従って、移動式医療装置がネットワークに接続できない状況下においても医用情報の送信や検査オーダー情報の受信等を行うことができ、医用情報や検査オーダー情報の伝達を円滑かつミスなく行うことができ、またスケジュール消化効率の向上を図ることができる。
【発明を実施するための最良の形態】
【００１９】
以下、本発明に係る移動式医療装置の好適な実施形態について、図面を参照しながら具体的に説明する。図１は、本実施形態に係る移動式医療装置１の構成を示すブロック図である。移動式医療装置１は、病室等へ搬送可能な医療装置であり、例えば、超音波診断装置やＸ線装置等で車輪等の移動機構を備えている。
【００２０】
この移動式医療装置１は、処理部１Ａと主記憶部１Ｂと外部記憶部１Ｃと画面構成部１Ｄと可搬記憶媒体読み書き部１Ｅと入力部１Ｆとモニタ１Ｇと送受信部１Ｈと医用画像作成部１Ｊを備える。
【００２１】
処理部１Ａは、いわゆるＣＰＵであり、プログラムに従った演算を行い、各周辺部１Ｂ，１Ｃ，１Ｄ，１Ｅを制御する。主記憶部１Ｂは、例えば半導体メモリ等のＲＡＭであり、処理部１Ａの作業領域として、プログラム、若しくは処理部１Ａの演算による演算結果、又はデータが展開される。画面構成部１Ｄは、処理部１Ａの制御によりモニタ１Ｇに表示する医用画像のデータをビデオフォーマットに変換し、モニタ１Ｇに送出する。送受信部１Ｈは、例えばＬＡＮやモデム等のネットワークアダプタであり、ネットワーク１０３上のデータを送受信する。入力部１Ｆは、キーボードやマウス等のユーザインターフェースであり、操作者の入力に対応する入力信号を処理部１Ａ等へ送出する。
【００２２】
医用画像作成部１Ｊは、被検体内を観察して画像化する。例えば、移動式医療装置１が超音波診断装置の場合は、医用画像作成部１Ｊは、超音波を被検体内に送受信して、得られたデータから被検体内を画像化して医用画像を作成する。例えば、移動式医療装置１がＸ線装置の場合は、医用画像作成部１Ｊは、Ｘ線を被検体内に曝射して透過Ｘ線を検出し、検出結果から被検体内を画像化して医用画像を作成する。
【００２３】
可搬記憶媒体読み書き部１Ｅは、可搬記憶媒体１００に後述する通信プログラムデータや医用情報を書き込み、又可搬記憶媒体１００から検査オーダー情報や通信ステータスを読み込む。可搬記憶媒体１００は、例えば、光ディスク、光磁気ディスク（ＣＤ−ＲＡＭ／ＤＶＤ−ＲＡＭ／ＭＯ等）、磁気記憶媒体（ハードディスク／フロッピー（登録商標）ディスク／ＺＩＰ等）、ＵＳＢメモリ、ＩＣカード等が挙げられる。
【００２４】
外部記憶部１Ｃは、例えばＨＤＤであり、本実施形態の場合、検査状況情報若しくは通信ステータス又は医用画像作成部１Ｊで作成された医用画像等の医用情報、各種の通信をプログラム制御するためのプログラムデータ、及び移動式医療装置１を制御する制御プログラムが格納されている。すなわち、外部記憶部１Ｃは、医用情報を格納する医用情報格納手段７であり、また各種通信用プログラムデータを格納するプログラムデータ格納手段９となる。
【００２５】
プログラムデータ格納手段９には、図２に示すように、プログラムデータとして、医用画像送信プログラムデータ、検査オーダー情報取得プログラムデータ、検査状況伝達プログラムデータが格納されている。
【００２６】
これらプログラムデータは、ネットワーク１０３上のコンピュータ端末で読み込まれ、ネットワーク１０３上のデバイスにアクセスし、医用情報の送信、又は移動式医療装置１で行われる検査のスケジュールの情報である検査オーダー情報の取得のための複数の通信手順を自動実行させるプログラム制御用のソフトウェアである。すなわち、プログラムデータは、それぞれが個別の通信目的に応じて作成されたものであり、コンピュータ端末を、通信目的達成のための通信手順を実行する医用画像送信自動制御手段や検査オーダー情報取得自動制御手段（ＭＷＭ）や検査状況伝達自動制御手段（ＭＰＰＳ）として機能させる。また、検査オーダー情報取得プログラムデータは、移動式医療装置１で読み込まれ、移動式医療装置１に、取得した検査オーダー情報の取得を自動実行させる。
【００２７】
移動式医療装置１は、制御プログラムを処理部１Ａが読み込んで指令を処理し、処理部１Ａにより他の構成を制御することで、図３に示すように、オーダリング手段４とネットワーク検出手段５と通信マネージャ６と可搬記憶媒体作成手段８と読み込み手段１０とを備える。
【００２８】
入力手段２は、入力部１Ｆを含み、装置操作者の操作を入力信号に変換して、オーダリング手段４に送出する。表示手段３は、画面構成部１Ｄとモニタを含み、オーダリング手段４から送出された画面のデータをモニタに表示する。
【００２９】
オーダリング手段４は、例えば、処理部１Ａ、入力部１Ｆ、画面構成部１Ｄ、モニタを含んで構成される。また、オーダリング手段４は、入力部１Ｆを含む入力手段２と、画面構成部１Ｄとモニタを含んだ表示手段３を備える。オーダリング手段４は、入力手段２による入力部１Ｆからの入力信号の解釈に応じて、装置操作者からの要求に応じたオーダリング業務を行う。オーダリング業務としては、被検体内の画像化要求に応じた医用画像作成部１Ｊの制御、表示手段３による医用画像作成部１Ｊが作成した医用画像の表示を行う。
【００３０】
また、オーダリング手段４は、ネットワーク１０３上のデバイスへの通信要求に対応して、通信マネージャ６に処理を依頼する。通信マネージャ６への処理依頼の際、通信マネージャ６に対して、通信先のＩＰアドレス、ポート番号、ＡＥタイトル等の通信設定値、行う通信種別を送出する。
【００３１】
通信設定値は、予めオーダリング手段４が格納しており、要求された通信の目的に応じた通信先毎に格納されている。通信種別は、要求された通信の目的に応じて生成され、検査オーダー情報取得若しくは検査状況伝達又は医用画像送信である。
【００３２】
通信種別が検査オーダー情報取得の場合、移動式医療装置１に対応する検査オーダー情報を取得するため、通信先が移動式医療装置１を特定するためのＡＥタイトルも同時に生成して送出する。
【００３３】
通信種別が検査状況伝達又は医用画像送信である場合には、通信先に送信する医用情報の医用情報格納手段７における格納位置の情報も同時に送出する。この格納位置の情報は、装置操作者が入力手段２を用いて、送信する医用画像を選択することによって、オーダリング手段４が備えるインデックスを参照して取得する。医用情報は、通信ステータス、通信種別が医用画像の送信又は検査状況伝達である場合の医用画像又は検査状況情報である。
【００３４】
ネットワーク検出手段５は、送受信部１Ｈを含んで構成される。ネットワーク１０３との接続状態を検出し、通信マネージャ６に通知する。また、このネットワーク検出手段５を介してデータがネットワーク１０３や通信マネージャ６へ送受信される。
【００３５】
通信マネージャ６は、例えば、処理部１Ａを含んで構成される。また通信マネージャ６は、通信制御手段６ａと医用情報取得手段６ｂを含む。通信マネージャ６は、通信設定値で特定される通信先とのデータ送受信の制御をネットワーク検出手段５に対して行い、ネットワーク検出手段５から送信されたデータの形式を特定して、オーダリング手段４に渡す。また、通信先に医用情報を送信する場合、医用情報取得手段６ｂによりオーダリング手段４から示された格納位置の情報で特定される医用情報を医用情報格納手段７から取得する。
【００３６】
また、ネットワーク検出手段５からネットワーク１０３が切断状態であることを通知された場合には、通信マネージャ６は、通信制御手段６ａにより、取得した医用情報、オーダリング手段４から送出された移動式医療装置１のＡＥタイトル、通信種別、及び通信先の通信設定値を可搬記憶媒体作成手段８に送出し、医用情報、ＡＥタイトル、通信設定値、通信種別に対応したプログラムデータを可搬記憶媒体１００に書き込ませる制御を行う。
【００３７】
可搬記憶媒体作成手段８は、例えば、処理部１Ａ、可搬記憶媒体読み書き部１Ｅを含んで構成され、プログラムデータ格納手段９からプログラムデータを取得し、取得したプログラムデータ、医用情報を送信する場合は医用情報、ＡＥタイトル、及び通信設定値を可搬記憶媒体１００に書き込んで通信のプログラム制御用の可搬記憶媒体１００を作成する。すなわち可搬記憶媒体作成手段８は、処理部１Ａを含んで構成されるプログラムデータ取得手段８ｂと、処理部１Ａ及び可搬記憶媒体書き込み部１Ｅを含んで構成される書き込み手段８ａを備える。
【００３８】
プログラムデータ取得手段８ｂでは、送出された通信種別を解釈して、通信種別に応じたプログラムデータをプログラムデータ格納手段９から取得し、書き込み手段８ａに送出する。通信種別が検査オーダー情報の取得の場合は、検査オーダー情報取得プログラムデータを取得し、医用画像送信の場合には、医用画像送信プログラムデータを取得し、検査状況伝達であれば、検査場強伝達プログラムデータを取得する。
【００３９】
書き込み手段８ａは、通信マネージャ６から送出された医用情報、ＡＥタイトル、通信設定値、プログラムデータ取得手段８ｂが取得したプログラムデータ、通信マネージャ６から医用情報が送出された場合の医用情報を、可搬記憶媒体読み書き部１Ｅにセットされている可搬記憶媒体１００に書き込む。
【００４０】
入力された通信種別が検査オーダー情報の取得である場合には、図４に示すように、検査オーダー情報取得プログラムデータと、通信設定値及び移動式医療装置１のＡＥタイトルと、検査オーダー情報取得プログラムデータを自動起動させるＡｕｔｏｒｕｎバッチプログラムとを書き込み、通信用の可搬記憶媒体１００を作成する。
【００４１】
入力された通信種別が医用画像の送信である場合には、図５に示すように、医用画像送信プログラムデータと、医用画像を送信する送信先の通信設定値と、通信マネージャ６から送出された医用画像と、医用画像送信プログラムデータを自動起動させるＡｕｔｏｒｕｎバッチプログラムとを書き込み、通信用の可搬記憶媒体１００を作成する。尚、送出された通信種別が検査状況伝達である場合には、医用画像送信プログラムデータに代えて検査状況伝達プログラムデータが書き込み、医用画像に代えて検査状況情報を書き込む。
【００４２】
読み込み手段１０は、例えば、処理部１Ａと可搬記憶媒体読み書き部１Ｅにより構成される。この読み込み手段１０は、可搬記憶媒体１００に記憶されている検査オーダー情報と通信ステータスを取得し、ネットワーク検出手段５を介して通信マネージャ６に送出する。この制御は、可搬記憶媒体１００に格納されている検査オーダー情報取得プログラムデータの指令を処理部１Ａが実行することにより行われる。
【００４３】
この移動式医療装置１の通信用の可搬記憶媒体作成動作を説明する。図６は、移動式医療装置１の動作を示すフローチャート図である。図６においては、装置操作者が検査オーダー情報の取得を要求するものとして説明する。
【００４４】
まず、装置操作者が入力部１Ｆを用いて検査オーダー情報の取得を要求すると（Ｓ１０１，Ｙｅｓ）、入力部１Ｆが生成した入力信号をオーダリング手段４が解釈する。解釈の結果、入力信号が検査オーダー情報の取得を要求する信号であった場合、検査オーダー情報の取得を特定する通信種別と通信先の通信設定値と移動医療装置1のＡＥタイトルを通信マネージャ６に送出する（Ｓ１０２）。
【００４５】
通信マネージャ６は、通信種別を解釈して、検査オーダー情報の取得を行うようネットワーク検出手段５を制御し、オーダリング手段４から送出された通信設定値を有する通信先へ通信を試みる（Ｓ１０３）。ここで、通信に失敗する、すなわちネットワーク検出手段５によりネットワーク１０３の切断状態が検出されると（Ｓ１０４，Ｙｅｓ）、通信マネージャ６は、通信種別とＡＥタイトルと通信設定値を可搬記憶媒体作成手段８に送出する。
【００４６】
可搬記憶媒体作成手段８は、通信種別を解釈して、コンピュータ端末に検査オーダー情報の取得のための複数の通信手順を自動実行させる検査オーダー情報取得プログラムデータをプログラムデータ格納手段９より取得する（Ｓ１０５）。
【００４７】
可搬記憶媒体作成手段８は、ついで可搬記憶媒体読み書き部１Ｅを制御して、取得した検査オーダー情報取得プログラムデータと、送出された通信設定値及びＡＥタイトルと、Ａｕｔｏｒｕｎバッチプログラムを、セットされている可搬記憶媒体１００に書き込ませる（Ｓ１０６）。
【００４８】
図７は、移動式医療装置１の通信用の記憶媒体作成動作を示すフローチャート図である。図７においては、装置操作者が医用画像の送信を要求するものとして説明する。
【００４９】
まず、装置操作者が入力部１Ｆを用いて医用画像の送信要求と送信する医用画像の指定を行うと（Ｓ２０１）、入力部１Ｆが生成した入力信号をオーダリング手段４が解釈する。解釈の結果、入力信号が医用画像の送信を要求する信号であった場合、医用画像の送信に対応する通信種別と通信先の通信設定値と送信する医用画像の格納位置の情報を通信マネージャ６に送出する（Ｓ２０２）。
【００５０】
通信マネージャ６は、医用画像の格納位置の情報に対応する医用画像を医用情報格納手段７から取得する（Ｓ２０３）。さらに通信マネージャ６は、通信種別を解釈して、医用情報の送信を行うようネットワーク検出手段５を制御し、オーダリング手段４から送出された通信設定値を有する通信先へ通信を試みる（Ｓ２０４）。ここで、通信に失敗する、すなわちネットワーク検出手段５によりネットワーク１０３の切断状態が検出されると（Ｓ２０５，Ｙｅｓ）、通信マネージャ６は、通信種別と通信設定値と医用画像を可搬記憶媒体作成手段８に送出する。
【００５１】
可搬記憶媒体作成手段８は、通信種別を解釈して、コンピュータ端末に医用情報の送信のための複数の通信手順を自動実行させる医用画像送信プログラムデータをプログラムデータ格納手段９より取得する（Ｓ２０６）。さらに可搬記憶媒体作成手段８は、可搬記憶媒体読み書き部１Ｅを制御して、取得した医用画像送信プログラムデータと、医用画像と、通信先の通信設定値と、Ａｕｔｏｒｕｎバッチプログラムを、セットされている可搬記憶媒体１００に書き込ませる（Ｓ２０７）。
【００５２】
装置操作者が検査状況伝達を要求する場合は、医用画像に代えて検査状況情報が格納されている格納位置の情報に対応する検査状況情報を取得して、検査場強伝達プログラムデータとともに可搬記憶媒体１００に書き込む。
【００５３】
このような移動式医療装置１は、図９に示すように、ネットワーク１０３上の放射線情報システム１０１（ＲＩＳ）や医用画像保存装置１０２（ＰＡＣＳ）と可搬記憶媒体１００及び可搬記憶媒体受取装置１０４を介して通信を行う。可搬記憶媒体受取装置１０４は、コンピュータ端末である。
【００５４】
移動式医療装置１がネットワーク１０３に接続されていない状態では、移動式医療装置１は、通信用の可搬記憶媒体１００を作成する。装置操作者がこの通信用の可搬記憶媒体１００を可搬記憶媒体受取装置１０４にセットし、通信用の可搬記憶媒体１００に記憶されている通信用のプログラムデータを可搬記憶媒体受取装置１０４で実行することで、可搬記憶媒体受取装置１０４と放射線情報システム１０１や医用画像保存装置１０２とが通信を行う。通信用のプログラムデータの機能により、通信結果は、通信用の可搬記憶媒体１００に書き込まれる。装置操作者により可搬記憶媒体受取装置１０４から通信用の可搬記憶媒体１００が取り外されるとともに移動式医療装置１にセットすることで、通信用の可搬記憶媒体１００に記憶された通信結果を移動式医療装置１が読み込み、移動式医療装置１と放射線情報システム１０１や医用画像保存装置１０２との通信が完了する。
【００５５】
移動式医療装置１と放射線情報システム１０１との通信を図９に基づきさらに詳細に説明する。移動式医療装置１において、ネットワーク１０３との切断状態が検出されると（Ｓ３０１）、セットされている記憶媒体に検査オーダー情報取得プログラムデータと放射線情報システム１０１の通信設定値及び移動式医療装置１のＡＥタイトルが書き込まれ、通信用の可搬記憶媒体１００が作成される（Ｓ３０２）。
【００５６】
装置操作者によって、移動式医療装置１から通信用の可搬記憶媒体１００が取り外され、ネットワーク１０３に接続している可搬記憶媒体受取装置１０４に通信用の可搬記憶媒体１００がセットされると（Ｓ３０３）、通信用の可搬記憶媒体１００に記憶されているＡｕｔｏｒｕｎバッチプログラムを可搬記憶媒体受取装置１０４が実行し（Ｓ３０４）、検査オーダー情報取得プログラムデータを順次読み込み（Ｓ３０５）、検査オーダー情報取得プログラムデータの指令を実行して通信用の可搬記憶媒体１００に記憶されている通信設定値で特定される放射線情報システム１０１と通信を行う（Ｓ３０６）。
【００５７】
放射線情報システム１０１との通信では、移動式医療装置１のＡＥタイトルの送信が行われ、放射線情報システム１０１から移動式医療装置１の検査オーダー情報の受信を行う（Ｓ３０７）。
【００５８】
通信が終了すると、検査オーダー情報取得プログラムデータの指令を可搬記憶媒体受取装置１０４が実行することで、通信用の可搬記憶媒体１００に、受信した検査オーダー情報と、当該通信の通信ステータスを書き込む（Ｓ３０８）。
【００５９】
装置操作者によって、可搬記憶媒体受取装置１０４から通信用の可搬記憶媒体１００が取り外され、移動式医療装置１に通信用の可搬記憶媒体１００がセットされると（Ｓ３０９）、通信用の可搬記憶媒体１００に記憶されているＡｕｔｏｒｕｎバッチプログラムを移動式医療装置１が実行し、通信用の可搬記憶媒体１００から検査オーダー情報と通信ステータスを読み込む（Ｓ３１０）。
【００６０】
移動式医療装置１と医用画像保存装置１０２との通信を図１０に基づきさらに詳細に説明する。移動式医療装置１において、ネットワーク１０３との切断状態が検出されると（Ｓ４０１）、セットされている記憶媒体に医用画像送信プログラムデータと医用画像保存装置１０２の通信設定値及び送信する医用画像が書き込まれ、通信用の可搬記憶媒体１００が作成される（Ｓ４０２）。
【００６１】
装置操作者によって、移動式医療装置１から通信用の可搬記憶媒体１００が取り外され、ネットワーク１０３に接続している可搬記憶媒体受取装置１０４に通信用の可搬記憶媒体１００がセットされると（Ｓ４０３）、通信用の可搬記憶媒体１００に記憶されているＡｕｔｏｒｕｎバッチプログラムを可搬記憶媒体受取装置１０４が実行し（Ｓ４０４）、医用画像送信プログラムデータを順次読み込み（Ｓ４０５）、医用画像を読み込み（Ｓ４０６）、医用画像送信プログラムデータの指令を実行して通信用の可搬記憶媒体１００に記憶されている通信設定値で特定される医用画像保存装置１０２と通信を行う（Ｓ４０７）。
【００６２】
医用画像保存装置１０２との通信では、医用画像保存装置１０２へ医用画像の送信を行う（Ｓ４０８）。
【００６３】
通信が終了すると、医用画像送信プログラムデータの指令を可搬記憶媒体受取装置１０４が実行することで、通信用の可搬記憶媒体１００に、当該通信の通信ステータスを書き込む（Ｓ４０９）。
【００６４】
装置操作者によって、可搬記憶媒体受取装置１０４から通信用の可搬記憶媒体１００が取り外され、移動式医療装置１に通信用の可搬記憶媒体１００がセットされると（Ｓ４１０）、通信用の可搬記憶媒体１００に記憶されているＡｕｔｏｒｕｎバッチプログラムを移動式医療装置１が実行し、通信用の可搬記憶媒体１００から通信ステータスを読み込む（Ｓ４１１）。
【００６５】
このように、本実施形態の移動式医療装置１は、ネットワーク１０３に接続できない状況下においても医用情報の送信や検査オーダー情報の受信等を行うことが可能になる。
【図面の簡単な説明】
【００６６】
【図１】本実施形態に係る移動式医療装置の構成を示すブロック図である。
【図２】本実施形態に係る移動式医療装置が備えるプログラムデータ格納手段を説明する図である。
【図３】本実施形態に係る移動式医療装置の機能を示す機能ブロック図である。
【図４】本実施形態に係る移動式医療装置が作成する検査オーダー情報取得プログラムデータが記憶された通信用の可搬記憶媒体を説明する図である。
【図５】本実施形態に係る移動式医療装置が作成する医用画像送信プログラムデータが記憶された通信用の可搬記憶媒体を説明する図である。本実施形態に係る移動式医療装置の検査オーダー情報取得動作を示すフローチャート図である。
【図６】本実施形態に係る移動式医療装置の検査オーダー情報取得動作を示すフローチャート図である。
【図７】本実施形態に係る移動式医療装置の医用画像の送信動作を示すフローチャート図である。
【図８】本実施形態に係る移動式医療装置が可搬記憶媒体を利用して通信するネットワークを説明する図である。
【図９】本実施形態に係る移動式医療装置とネットワークとの検査オーダー情報取得のための通信を説明するシーケンス図である。
【図１０】本実施形態に係る移動式医療装置とネットワークとの医用画像送信のための通信を説明するシーケンス図である。
【符号の説明】
【００６７】
１    移動式医療装置
１Ａ  処理部
１Ｂ  主記憶部
１Ｃ  外部記憶部
１Ｄ  画面構成部
１Ｅ  可搬記憶媒体読み書き部
１Ｆ  入力部
１Ｇ  モニタ
１Ｈ  送受信部
１Ｊ  医用画像作成部
２    入力手段
３    表示手段
４    オーダリング手段
５    ネットワーク検出手段
６    通信マネージャ
６ａ  通信制御手段
６ｂ  医用情報取得手段
７    医用情報格納手段
８    可搬記憶媒体作成手段
８ａ  書き込み手段
８ｂ  プログラムデータ取得手段
９    プログラムデータ格納手段
１０  読み込み手段
１００  可搬記憶媒体
１０１  放射線情報システム
１０２  医用画像保存装置
１０３  ネットワーク
１０４  可搬記憶媒体受取装置
【図１】
2006230636.tif 000003
【図２】
2006230636.tif 000004
【図３】
2006230636.tif 000005
【図４】
2006230636.tif 000006
【図５】
2006230636.tif 000007
【図６】
2006230636.tif 000008
【図７】
2006230636.tif 000009
【図８】
2006230636.tif 000010
【図９】
2006230636.tif 000011
【図１０】
2006230636.tif 000012